(57)【要約】 【課題】灯器設置現場でその場所に適した光度を設定する必要が生じた場合に対応可能なＬＥＤ式信号灯器を提供する。【解決手段】商用電源Ｐを整流して信号用の灯光を発するＬＥＤ１２（発光ダイオード）に電力を供給するようにしたＬＥＤ式信号灯器１０であって、商用電源Ｐを整流する全波整流部３０と、定電流部４０と、光度設定調整部５０とを備え、定電流部４０は、全波整流部３０の出力を受け、定電圧素子４１による基準電圧を出力半導体ＴＲ１に印加することにより、ＬＥＤ１２へ電力を供給するものであり、光度設定調整部５０は、出力半導体ＴＲ１のバイアス電圧を切替えるよう、選択スイッチＳ１〜Ｓ４と抵抗Ｒ１〜Ｒ４とを接続したものを並列にして出力半導体ＴＲ１のバイアス入力に接続した。【選択図】図１
2005284691.tif 000002
【特許請求の範囲】
【請求項１】
商用電源を整流して信号用の灯光を発するＬＥＤ（発光ダイオード）に電力を供給するようにしたＬＥＤ式信号灯器であって、
商用電源を整流する全波整流部と、定電流部と、光度設定調整部とを備え、
前記定電流部は、前記全波整流部の出力を受け、定電圧素子による基準電圧を出力半導体に印加することにより、前記ＬＥＤへ電力を供給するものであり、
光度設定調整部は、前記出力半導体のバイアス電圧を切替えるよう、選択スイッチと抵抗とを接続したものを並列にして前記出力半導体のバイアス入力に接続したことを特徴とするＬＥＤ式信号灯器。
【請求項２】
商用電源を整流して信号用の灯光を発するＬＥＤ（発光ダイオード）に電力を供給するようにしたＬＥＤ式信号灯器であって、
商用電源を整流する全波整流部と、定電流部と、光度設定調整部とを備え、
前記定電流部は、前記全波整流部の出力を受け、定電圧素子による基準電圧を出力半導体に印加することにより、前記ＬＥＤへ電力を供給するものであり、
光度設定調整部は、前記出力半導体の出力電流を切替えるよう、選択スイッチと抵抗とを接続したものを並列にして前記出力半導体に接続したことを特徴とするＬＥＤ式信号灯器。
【発明の詳細な説明】
【技術分野】
【０００１】
本発明は、商用電源を整流して信号用の灯光を発するＬＥＤ（発光ダイオード）に電力を供給するようにしたＬＥＤ式信号灯器に関する。
【背景技術】
【０００２】
従来の技術としては、例えば特許文献１に示すようなものがある。  
すなわち、特許文献１の特開２００１−１４３８７９号公報には、商用電源を整流してから、安定化電源回路で安定化し、安定化した電圧をＬＥＤに供給するもので、サーミスタにより外温に応じてＬＥＤに適した電圧を供給する技術が開示されている。
【０００３】
【特許文献１】特開２００１−１４３８７９号公報
【発明の開示】
【発明が解決しようとする課題】
【０００４】
しかしながら、このような従来の技術では、常に同じ電力がＬＥＤに供給され、灯器設置現場でその場所に適した光度を設定する必要性が生じた場合に対応できないという問題点があった。
【０００５】
本発明は、このような従来の技術が有する問題点に着目してなされたもので、灯器設置現場でその場所に適した光度を設定する必要性が生じた場合に対応可能なＬＥＤ式信号灯器を提供することを目的としている。
【課題を解決するための手段】
【０００６】
かかる目的を達成するための本発明の要旨とするところは、次の各項の発明に存する。
［１］  商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、定電流部（４０）と、光度設定調整部（５０）とを備え、
前記定電流部（４０）は、前記全波整流部（３０）の出力を受け、定電圧素子（４１）による基準電圧を出力半導体（ＴＲ１）に印加することにより、前記ＬＥＤ（１２）へ電力を供給するものであり、
光度設定調整部（５０）は、前記出力半導体（ＴＲ１）のバイアス電圧を切替えるよう、選択スイッチ（Ｓ１〜Ｓ４）と抵抗（Ｒ１〜Ｒ４）とを接続したものを並列にして前記出力半導体（ＴＲ１）のバイアス入力に接続したことを特徴とするＬＥＤ式信号灯器（１０）。
【０００７】
［２］  商用電源（Ｐ）を整流して信号用の灯光を発するＬＥＤ（１２）（発光ダイオード）に電力を供給するようにしたＬＥＤ式信号灯器（１０）であって、
商用電源（Ｐ）を整流する全波整流部（３０）と、定電流部（４０）と、光度設定調整部（５０）とを備え、
前記定電流部（４０）は、前記全波整流部（３０）の出力を受け、定電圧素子（４１）による基準電圧を出力半導体（ＴＲ１）に印加することにより、前記ＬＥＤ（１２）へ電力を供給するものであり、
光度設定調整部（５０）は、前記出力半導体（ＴＲ１）の出力電流を切替えるよう、選択スイッチ（Ｓ１〜Ｓ４）と抵抗（Ｒ１〜Ｒ４）とを接続したものを並列にして前記出力半導体（ＴＲ１）に接続したことを特徴とするＬＥＤ式信号灯器（１０）。
【０００８】
前記本発明は次のように作用する。  
本発明に係るＬＥＤ式信号灯器（１０）は、商用電源（Ｐ）を整流して信号用の灯光を発するＬＥＤ（１２）に電力を供給するものである。つまり、定電流部（４０）は、全波整流部（３０）の出力を受け、定電圧素子（４１）による基準電圧を出力半導体（ＴＲ１）に印加することにより、ＬＥＤ（１２）へ電力を供給する。
【０００９】
設置場所に合わせてＬＥＤ（１２）の光度を調整する場合は、光度設定調整部（５０）で出力半導体（ＴＲ１）のバイアス電圧を切替えて行なう。所望の選択スイッチ（Ｓ１〜Ｓ４）を選定すると、並列に接続された抵抗（Ｒ１〜Ｒ４）の一つが選択され、出力半導体（ＴＲ１）のバイアス入力が変わり、出力が変わるので、ＬＥＤ（１２）を所望の輝度に設定することができる。
【００１０】
また、別の方式の光度設定調整部（５０ａ）では、出力半導体（ＴＲ１）のエミッタ抵抗を切替えることで調整が可能である。所望の選択スイッチ（Ｓ１〜Ｓ４）を選定すると、並列に接続された抵抗（Ｒ１〜Ｒ４）の一つが選択され、この抵抗（Ｒ１〜Ｒ４）により、出力半導体（ＴＲ１）の出力回路の出力が変わり、ＬＥＤ（１２）を所望の輝度に設定することができる。
【発明の効果】
【００１１】
本発明に係るＬＥＤ式信号灯器によれば、光度設定調整部５０で出力半導体ＴＲ１のバイアス電圧や出力電流を調整できるようにしたので、灯器設置現場でその場所に適した光度を設定することができ、良好な設備とすることができる。
【発明を実施するための最良の形態】
【００１２】
以下、図面に基づき本発明の好適な一実施の形態を説明する。  
図１，３および４は本発明の一実施の形態を示している。  
ＬＥＤ式信号灯器１０の形態は図３および図４に示すとおりであり、商用電源Ｐを整流して信号用の灯光を発するＬＥＤに電力を供給するようにしたものである。ＬＥＤ式信号灯器１０は、通常は青、黄、赤の３組で構成され、それぞれの組は同様の構成をしており、ＬＥＤユニット１１が前面扉１５と筐体１７との間に収納されて成る。
【００１３】
ＬＥＤユニット１１は、ＬＥＤ１２と前面レンズ１４とを備えて成る。前面扉１５は、ＬＥＤユニット１１の前面レンズ１４を前方に開放する開口部１６を有し、フード１５ａが装着されており、ＬＥＤユニット１１の前面レンズ１４をこの開口部１６に通して、前面扉１５と筐体１７とがねじ止めされている。
【００１４】
ＬＥＤユニット１１には、駆動回路２０の基板２１が装着されており、駆動回路２０は、商用電源Ｐを整流して信号用の灯光を発するＬＥＤに電力を供給するものである。
図１でわかるように、駆動回路２０は、商用電源Ｐを整流する全波整流部３０と、定電流部４０と、光度設定調整部５０とを備えている。
【００１５】
全波整流部３０は、商用電源Ｐに、調整抵抗３１とコンデンサ３２とを介して全波整流素子３５が接続されて成る。全波整流素子３５の＋出力は負荷であるＬＥＤ１２の＋側に接続している。なお、図１では、ＬＥＤ１２を簡略化して１個であるように表示されているが、実際は多数のＬＥＤ１２が接続されており、ＬＥＤ１２は、複数を直列にした複数のＬＥＤが並列に接続されている。
【００１６】
定電流部４０は、定電圧素子であるツェナーダイオード４１と保護抵抗Ｒとが全波整流部３０の出力に接続され、全波整流部３０の出力を受け、定電圧素子であるツェナーダイオード４１による基準電圧を抵抗Ｒａを介して出力半導体ＴＲ１のベースに印加することにより、ＬＥＤ１２へ電力を供給するものである。出力半導体ＴＲ１のベースは抵抗Ｒ５を介し整流器のマイナス極に落とされ、出力側は抵抗Ｒ６を介して整流器のマイナス極に接続されている。
【００１７】
光度設定調整部５０は、出力半導体ＴＲ１のバイアス電圧を切替えるよう、選択スイッチＳ１〜Ｓ４と抵抗Ｒ１〜Ｒ４とを接続したものが並列にして出力半導体ＴＲ１のバイアス入力と整流器のマイナス極との間に接続されている。抵抗Ｒ１，Ｒ２はツェナーダイオード４１の基準電圧と出力半導体ＴＲ１のベースとの間にあってバイアス電圧を変えようとするものであり、抵抗Ｒ３，Ｒ４は、出力半導体ＴＲ１のベースと整流器のマイナス極との間にあってバイアス電圧を変えようとするものである。
【００１８】
次に作用を説明する。  
ＬＥＤ式信号灯器１０は、商用電源Ｐを整流して、信号用の灯光を発するＬＥＤ１２に電力を供給するものである。つまり、商用電源Ｐが全波整流部３０により整流され、定電流部４０は、全波整流部３０の出力を受け、定電圧素子であるツェナーダイオード４１による基準電圧を出力半導体ＴＲ１に印加することにより、ＬＥＤ１２へ電力が供給される。
【００１９】
ＬＥＤ１２の光度を調整する場合は、光度設定調整部５０で出力半導体ＴＲ１のバイアス電圧を切替えて行なう。所望の選択スイッチＳ１〜Ｓ４を選定すると、並列に接続された抵抗Ｒ１〜Ｒ４の一つが選択され、出力半導体ＴＲ１のバイアス入力が変わり、出力が変わるので、ＬＥＤ１２を所望の光度に設定することができる。
【００２０】
図２は本発明の他の実施の形態を示している。なお、前記実施の形態と同様の部位には同一の符号を付して説明を省略する。  
光度設定調整部５０ａは、出力半導体ＴＲ１の出力電流を切替えるよう、選択スイッチＳ１〜Ｓ４と抵抗とを接続したものを並列にして出力半導体ＴＲ１の出力回路に接続したものである。
【００２１】
本実施の形態に係る光度設定調整部５０ａでは、出力半導体ＴＲ１のエミッタ抵抗を切替えることで調整が可能である。所望の選択スイッチＳ１〜Ｓ４を選定すると、並列に接続された抵抗の一つが選択され、この抵抗により、出力半導体ＴＲ１の出力回路の出力が変わり、ＬＥＤ１２を所望の光度に設定することができる。
【図面の簡単な説明】
【００２２】
【図１】本発明の一実施の形態に係るＬＥＤ式信号灯器の駆動回路の概念回路図である。
【図２】本発明の他の実施の形態に係るＬＥＤ式信号灯器の駆動回路の概念回路図である。
【図３】本発明の一実施の形態に係るＬＥＤ式信号灯器を示す正面図である。
【図４】本発明の一実施の形態に係るＬＥＤ式信号灯器を示す分解側面図である。
【符号の説明】
【００２３】
Ｐ…商用電源
ＴＲ１…出力半導体
１０…ＬＥＤ式信号灯器
１１…ＬＥＤユニット
１２…ＬＥＤ
１４…前面レンズ
１５…前面扉
２０…駆動回路
３０…全波整流部
４０…定電流部
４１…ツェナーダイオード
５０…光度設定調整部
Ｓ１〜Ｓ４…選択スイッチ
Ｒ１〜Ｒ４…抵抗
【図１】
2005284691.tif 000003
【図２】
2005284691.tif 000004
【図３】
2005284691.tif 000005
【図４】
2005284691.tif 000006